(57)【要約】【課題】ロール状に巻回された媒体による負荷に応じて、ロール状媒体を搬送するためのモータの駆動量を特定可能なロール状媒体搬送装置を提供すること。【解決手段】ロール状媒体搬送装置は、第一装着部、第二装着部、第一モータ、第二モータ、及び制御部を備える。制御部は第一モータを制御するための値である第一制御因子を用いて、第一モータを駆動する（Ｓ９）。制御部は少なくとも第一モータとの間で送信又は受信する信号に基づいて、第一制御手段によって駆動される第一モータが脱調したかを判断する（Ｓ１１）。制御部は脱調したと判断されたことに応じて（Ｓ１１：ＹＥＳ）、第一制御因子の値を減少させる（Ｓ１２）。制御部は第一モータが脱調していないと判断されたことに応じて、第一制御因子の値以下となる設定値を、記憶部に記憶する（Ｓ１３）。【選択図】図３
2018165187.tif 000002
【特許請求の範囲】
【請求項１】
媒体が巻回された第一ロールを装着する第一装着部と、
前記第一ロールから繰り出された前記媒体が巻き取られる第二ロールを装着する第二装着部と、
前記第一装着部を回転させる第一モータと、
前記第一モータを制御可能な制御部とを備え、
前記制御部は、
前記第一モータを制御するための値である第一制御因子を用いて、前記第一モータを駆動する第一制御手段と、
少なくとも前記第一モータとの間で送信又は受信する信号に基づいて、前記第一制御手段によって駆動される前記第一モータが脱調したかを判断する判断手段と、
前記判断手段によって前記第一モータが脱調したと判断されたことに応じて、前記第一制御因子の値を減少させる減少手段と、
前記判断手段によって前記第一モータが脱調していないと判断されたことに応じて、前記判断手段によって前記第一モータが脱調していないと判断されたときの前記第一制御因子の値以下となる設定値を、記憶部に記憶する記憶手段
として機能することを特徴とするロール状媒体搬送装置。
【請求項２】
前記媒体の状態に応じたセンサ信号を出力するセンサを更に備え、
前記制御部は、前記センサから出力された前記センサ信号に基づいて、前記第一ロールの前記径を特定する径特定手段として更に機能することを特徴とする請求項１に記載のロール状媒体搬送装置。
【請求項３】
前記第二装着部を回転させる第二モータを更に備え、
前記制御部は、更に、
前記径特定手段によって特定された前記第一ロールの前記径に応じて、前記第二モータを制御するための第二制御因子を設定して、前記第二モータを駆動する第二制御手段として機能することを特徴とする請求項２に記載のロール状媒体搬送装置。
【請求項４】
前記第一モータはステップモータであり、
前記第一制御因子は、角加速度であり、
前記センサは、前記第一装着部と前記第二装着部との間で搬送される前記媒体の搬送経路で前記媒体に接触して、前記媒体の搬送量に応じた前記センサ信号を前記制御部に出力する回転センサであり、
前記径特定手段は、前記回転センサによって出力された前記センサ信号と、前記第一モータの回転量の比較によって前記第一ロールの前記径を特定することを特徴とする請求項２又は３に記載のロール状媒体搬送装置。
【請求項５】
前記判断手段は、前記回転センサが出力する前記センサ信号が、前記第一モータの回転量と前記第一ロールの前記径とで決まる搬送量に対応している場合は脱調していないと判断し、対応していない場合は脱調したと判断することを特徴とする請求項４に記載のロール状媒体搬送装置。
【請求項６】
前記径特定手段は、前記第一制御因子を、前記第一制御手段が前記第一モータを駆動した場合に前記第一モータが脱調しない第一値に設定して、前記第一モータを回転させ、
前記第一制御手段は、前記径特定手段によって前記第一ロールの前記径が特定された後で前記第一制御因子を、前記第一制御手段が前記第一モータを駆動した場合に前記第一モータが脱調する値であって、前記第一値よりも大きな第二値に設定して、前記第一モータを駆動することを特徴とする請求項４又は５に記載のロール状媒体搬送装置。
【請求項７】
前記記憶手段は、前記判断手段によって前記第一モータが脱調していないと判断されたときの前記第一制御因子の値を、前記設定値として前記記憶部に記憶することを特徴とする請求項２から５の何れかに記載のロール状媒体搬送装置。
【請求項８】
前記制御部は、前記第一モータ及び前記第二モータを駆動して、前記第一制御手段及び前記第二制御手段によって、前記第一モータを駆動した量に応じて、前記媒体を巻き戻す巻き戻し手段として更に機能することを特徴とする請求項３に記載のロール状媒体搬送装置。
【請求項９】
媒体が巻回された第一ロールを装着する第一装着部と、
前記第一ロールから繰り出された前記媒体が巻き取られる第二ロールを装着する第二装着部と、
前記第一装着部を回転させるモータと、
前記モータを制御可能な制御部とを備え、
前記制御部は、
前記モータを制御するための値である制御因子を用いて、前記モータを駆動する制御手段と、
少なくとも前記モータとの間で送信又は受信する信号に基づいて、前記制御手段によって駆動される前記モータが脱調したかを判断する判断手段と、
前記判断手段によって前記モータが脱調していないと判断されたことに応じて、前記制御因子の値を増加させる増加手段と、
前記判断手段によって前記モータが脱調したと判断されたことに応じて、前記判断手段によって前記モータが脱調したと判断されたときの前記制御因子の値よりも小さな設定値を、記憶部に記憶する記憶手段
として機能することを特徴とするロール状媒体搬送装置。
【請求項１０】
媒体が巻回された第一ロールを装着する第一装着部と、
前記第一ロールから繰り出された前記媒体が巻き取られる第二ロールを装着する第二装着部と、
前記第一装着部を回転させるモータと、
前記第一装着部と前記第二装着部との間で搬送される前記媒体の搬送路で前記媒体に接触して、前記媒体の移動量に応じたセンサ信号を出力する回転センサと、
前記モータを制御可能な制御部とを備え、
前記制御部は、
前記モータを所定の角加速度で駆動する制御手段と、
前記制御手段によって駆動される前記モータの回転量と、前記回転センサからの前記センサ信号とに基づいて、前記モータが脱調したかを判断する判断手段と、
前記判断手段によって前記モータが脱調したと判断されたことに応じて、前記モータの角加速度を減少させる減少手段と、
前記判断手段によって前記モータが脱調していないと判断されたことに応じて、前記判断手段によって前記モータが脱調していないと判断されたときの前記モータの角加速度を記憶部に記憶する記憶手段、
として機能することを特徴とするロール状媒体搬送装置。
【発明の詳細な説明】
【技術分野】
【０００１】
本発明は、印刷に用いられるロール状媒体搬送装置に関する。
【背景技術】
【０００２】
記録紙による負荷に応じて、記録紙を搬送するためのステッピングモータを制御する搬送装置が知られている（例えば、特許文献１参照）。特許文献１に記載の搬送装置は、記録紙残量と、専用のセンサで検出された記録紙の幅とから、該ステップモータの駆動電流値を特定する。
【先行技術文献】
【特許文献】
【０００３】
【特許文献１】特開平６−１６９３８０号公報
【発明の概要】
【発明が解決しようとする課題】
【０００４】
上記従来の搬送装置では、ステッピングモータの駆動電流値を特定するのに、記録紙の残量と、センサで測定された幅とが用いられる。しかし、例えば、密度や厚みなどが異なる媒体の搬送を考えた場合、ロール状に巻回された媒体のイナーシャが異なる。イナーシャの変化は、必要とされる駆動電流値に影響を及ぼすと考えられるため、上記従来の搬送装置では、ロール状に巻回された媒体に応じて、ステッピングモータの駆動を適切に行えない可能性がある。
【０００５】
本発明の目的は、ロール状に巻回された媒体による負荷に応じて、ロール状媒体を搬送するためのモータの駆動量を特定可能なロール状媒体搬送装置を提供することである。
【課題を解決するための手段】
【０００６】
本発明の第一態様に係るロール状媒体搬送装置は、媒体が巻回された第一ロールを装着する第一装着部と、前記第一ロールから繰り出された前記媒体が巻き取られる第二ロールを装着する第二装着部と、前記第一装着部を回転させる第一モータと、前記第一モータを制御可能な制御部とを備え、前記制御部は、前記第一モータを制御するための値である第一制御因子を用いて、前記第一モータを駆動する第一制御手段と、少なくとも前記第一モータとの間で送信又は受信する信号に基づいて、前記第一制御手段によって駆動される前記第一モータが脱調したかを判断する判断手段と、前記判断手段によって前記第一モータが脱調したと判断されたことに応じて、前記第一制御因子の値を減少させる減少手段と、前記判断手段によって前記第一モータが脱調していないと判断されたことに応じて、前記判断手段によって前記第一モータが脱調していないと判断されたときの前記第一制御因子の値以下となる設定値を、記憶部に記憶する記憶手段として機能する。
【０００７】
本発明の第二態様に係るロール状媒体搬送装置は、媒体が巻回された第一ロールを装着する第一装着部と、前記第一ロールから繰り出された前記媒体が巻き取られる第二ロールを装着する第二装着部と、前記第一装着部を回転させるモータと、前記モータを制御可能な制御部とを備え、前記制御部は、前記モータを制御するための値である制御因子を用いて、前記モータを駆動する制御手段と、少なくとも前記モータとの間で送信又は受信する信号に基づいて、前記制御手段によって駆動される前記モータが脱調したかを判断する判断手段と、前記判断手段によって前記モータが脱調していないと判断されたことに応じて、前記制御因子の値を増加させる増加手段と、前記判断手段によって前記モータが脱調したと判断されたことに応じて、前記判断手段によって前記モータが脱調したと判断されたときの前記制御因子の値よりも小さな設定値を、記憶部に記憶する記憶手段として機能する。
【０００８】
本発明の第三態様に係るロール状媒体搬送装置は、媒体が巻回された第一ロールを装着する第一装着部と、前記第一ロールから繰り出された前記媒体が巻き取られる第二ロールを装着する第二装着部と、前記第一装着部を回転させるモータと、前記第一装着部と前記第二装着部との間で搬送される前記媒体の搬送路で前記媒体に接触して、前記媒体の移動量に応じたセンサ信号を出力する回転センサと、前記モータを制御可能な制御部とを備え、前記制御部は、前記モータを所定の角加速度で駆動する制御手段と、前記制御手段によって駆動される前記モータの回転量と、前記回転センサからの前記センサ信号とに基づいて、前記モータが脱調したかを判断する判断手段と、前記判断手段によって前記モータが脱調したと判断されたことに応じて、前記モータの角加速度を減少させる減少手段と、前記判断手段によって前記モータが脱調していないと判断されたことに応じて、前記判断手段によって前記モータが脱調していないと判断されたときの前記モータの角加速度を記憶部に記憶する記憶手段として機能する。
【０００９】
第一〜第三態様のロール状媒体搬送装置は、ロール状に巻回された媒体による負荷に応じて、ロール状媒体を搬送するための第一モータの駆動量を特定可能である。
【図面の簡単な説明】
【００１０】
【図１】搬送装置２を備える印刷装置１の概要を示す図である。
【図２】印刷装置１の電気的構成を示すブロック図である。
【図３】印刷処理のフローチャートである。
【発明を実施するための形態】
【００１１】
以下、本発明の一実施形態について、図面を参照して説明する。以下、図の説明の理解を助けるため、印刷装置１の上側、下側、左側、右側、前側、及び後側を定義する。印刷装置１の上側、下側、左側、右側、前側、及び後ろ側は、図１の上側、下側、左側、右側、表側、及び裏側に各々対応する。図１を基準に、各種部材の回転方向を説明する。
【００１２】
印刷装置１は、熱転写型の印刷装置である。印刷装置１は、非図示の印刷媒体搬送装置と同期して駆動される。印刷媒体搬送装置は、長尺状の印刷媒体Ｐを所定の搬送速度で方向Ｄ（本例では左方）に搬送する。印刷媒体Ｐは、例えば、食品を収納する袋となるチューブ状の包装材であり、印刷媒体搬送装置は、例えば、包装材を搬送して食品を包装材に封止する包装機である。印刷装置１は、例えば、所定の間隔で賞味期限を表す文字列を印刷媒体Ｐに印刷する。
【００１３】
図１及び図２に示すように、印刷装置１は、筐体１０、ベースプレート１１、ロール状媒体搬送装置（以下、「搬送装置」と言う。）２、サーマルヘッド３、及び第三モータ８３を備える。筐体１０は箱状であり、内部にベースプレート１１を設ける。ベースプレート１１は、矩形状の金属板部材であり、搬送装置２、サーマルヘッド３、及び第三モータ８３を支持する。搬送装置２はロール状に巻回された媒体９を搬送可能な装置である。本例の媒体は長尺状の熱転写型のインクリボンである。サーマルヘッド３は、所定方向に配列された複数の加熱素子を備える。第三モータ８３は、サーマルヘッド３を印刷位置３Ａと、待機位置３Ｂとに移動する。
【００１４】
＜搬送装置２＞
搬送装置２は、第一装着部２１、第二装着部２２、ガイド軸６１〜６５、第一モータ８１、第二モータ８２、及び制御部７を備える。第一装着部２１は、媒体９が巻回された第一ロール３１の芯軸４１を装着可能であり、第二装着部２２は第一ロール３１から繰り出された媒体９が巻き取られる第二ロール３２の芯軸４２を装着可能である。第一装着部２１及び第二装着部２２は各々前後方向に延びる軸状である。第一装着部２１及び第二装着部２２は、例えば、ベースプレート１１に対して回転可能に設けられたスピンドルである。芯軸４１、４２は、各々前後方向に延びる孔を有する円筒状である。第一ロール３１は、芯軸４１を第一装着部２１に挿通させることにより、取り外し可能に第一装着部２１に装着される。第二ロール３２は、芯軸４２を第二装着部２２に挿通させることにより、取り外し可能に第一装着部２１に装着される。
【００１５】
媒体９はインク層と基材とを含む、帯状のインクリボンである。基材は、例えばポリエチレンテレフタラート（ＰＥＴ）で形成される。インク層は、例えば、カーボンなどの色素成分と、ワックス及び／又はレジンなどのバインダー成分とを含む。媒体９はインク層が印刷媒体Ｐ側となる姿勢で搬送される。インク層は加熱により溶融し、印刷媒体Ｐに転写される。媒体９は、必要に応じて、バックコート層、剥離層、及び接着層などの機能層を有してもよい。媒体９は、一端部が芯軸４１の側面に接続され、他端部が芯軸４２の側面に接続される。
【００１６】
ガイド軸６１〜６５は各々円柱状であり、ベースプレート１１の前面から前側に向けて延びる。ガイド軸６１〜６５は、例えば、前後方向に延びる回転軸を中心として回転可能なローラである。ガイド軸６１〜６５は各々自身の周面の一部に媒体９のインク層とは反対側の面が接触する。媒体９の搬送経路Ｃは、各ガイド軸６１〜６５に接触して方向を変える。ガイド軸６１は、ベースプレート１１の右上の隅近傍に設けられる。ガイド軸６２は、ベースプレート１１の右下の隅近傍に設けられる。ガイド軸６３は、ベースプレート１１の下方且つ左右方向の中心よりもやや左方に設けられる。ガイド軸６４は、ベースプレート１１の左下の隅近傍に設けられる。ガイド軸６５は、ベースプレート１１の左上の隅近傍に設けられる。
【００１７】
第一モータ８１は、第一装着部２１を回転させる。第二モータ８２は、第二装着部２２を回転させる。第一モータ８１及び第二モータ８２はステップモータである。第一装着部２１は第一モータ８１の出力軸に直結する。即ち、第一装着部２１の回転軸は、第一モータ８１の出力軸と同一直線状に位置する。第一モータ８１の回転量は、第一装着部２１の回転量に等しい。第二装着部２２の回転軸は第二モータ８２の出力軸に直結する。即ち、第二装着部２２の回転軸は、第二モータ８２の出力軸と同一直線状に位置する。第二モータ８２の回転量は、第二装着部２２の回転量に等しい。第一装着部２１及び第二装着部２２は、各々異なるモータによって回転されるので、各々異なる回転速度で回転可能である。制御部７は、第一モータ８１と、第二モータ８２とを制御可能である。
【００１８】
媒体９が第一ロール３１から繰り出されて第二ロール３２に巻き取られる場合の、芯軸４１及び芯軸４２の各々の回転方向を、「正転方向」という。正転方向と反対方向を「反転方向」という。芯軸４１及び芯軸４２の各々が反転方向に反転された場合、媒体９は、第二ロール３２から繰り出されて第一ロール３１に巻き取られる。本例の芯軸４１、４２の正転方向及び反転方向は各々、図１における反時計回り及び時計回りである。芯軸４１、４２の正転方向は、時計回り方向に限定されない。例えば、媒体９の巻回状態に応じて、第一ロール３１及び第二ロール３２の正転方向は、少なくとも一方が時計回り方向であってもよい。
【００１９】
＜サーマルヘッド３＞
サーマルヘッド３は、前後方向においてベースプレート１１の前面よりも前側に設けられる。サーマルヘッド３は、ベースプレート１１の左右方向略中央、且つ、第一装着部２１及び第二装着部２２よりも下側に設けられる。サーマルヘッド３は、前後方向に直線状に並んだ複数の発熱素子を有するラインサーマルヘッドである。サーマルヘッド３は、搬送経路Ｃに隣接する。そのため、媒体９が搬送経路Ｃに沿って搬送される場合、サーマルヘッド３は、媒体９に隣接する。印刷装置１を用いて印刷を行う場合、サーマルヘッド３は、第三モータ８３を駆動力として、印刷位置３Ａと待機位置３Ｂとの間を上下方向に移動可能である。印刷媒体Ｐに対して印刷装置１と反対側に、印刷媒体搬送装置が有するプラテンローラＱが配置される。プラテンローラＱは前後方向に延びる軸線周りに回動可能なローラである。印刷位置３Ａは、サーマルヘッド３とプラテンローラＱとの間に印刷媒体Ｐが配置されていない状態で、サーマルヘッド３の下端部がプラテンローラＱに接する位置である。サーマルヘッド３とプラテンローラＱとの間に印刷媒体Ｐが配置されている場合、印刷位置３Ａに位置するサーマルヘッド３は、媒体９及び印刷媒体Ｐを挟んでプラテンローラＱに接触する。待機位置３Ｂは、サーマルヘッド３の下端部がプラテンローラＱから離隔し、左右方向に延びる媒体９に接触又は近接する位置である。
【００２０】
＜搬送経路Ｃ＞
第一装着部２１と第二装着部２２の回転に応じ、第一ロール３１と第二ロール３２との間に張り渡される媒体９は、筐体１０内で搬送される。媒体９は、ガイド軸６１〜６５の各々と接触することによって案内される。サーマルヘッド３、及びガイド軸６１〜６５に沿って媒体９が搬送されるときに通過する経路を、「搬送経路Ｃ」という。サーマルヘッド３は、第一ロール３１と第二ロール３２とが、第一装着部２１及び第二装着部２２に装着されているか否かに関わらず、常に搬送経路Ｃに隣接しているといえる。
【００２１】
図１中実線で示すように、サーマルヘッド３が待機位置３Ｂに配置された場合、媒体９の搬送経路Ｃは、第一装着部２１から右上に向けて延び、ガイド軸６１に接触して方向を変え、ガイド軸６２に向けて下方に延びる。搬送経路Ｃは、ガイド軸６２に接触して方向を変え、ガイド軸６４に向けて左方に延びる。搬送経路Ｃは、ガイド軸６２と、ガイド軸６４との間で、サーマルヘッド３の下端部に接触又は近接し、ガイド軸６３の上端部に接触又は近接する。搬送経路Ｃは、ガイド軸６４に接触して方向を変え、ガイド軸６５に向けて上方に延びる。搬送経路Ｃは、ガイド軸６５に接触して方向を変え、第二装着部２２に向けて右下に向けて延びる。第一装着部２１及び第二装着部２２が回転することに応じ、媒体９は、ガイド軸６２とガイド軸６４との間を左右方向に移動する。
【００２２】
サーマルヘッド３が印刷位置３Ａに配置された場合、媒体９の搬送経路Ｃは、サーマルヘッド３が待機位置３Ｂに配置された場合に比べ、ガイド軸６２とガイド軸６４との間において変更される。図１中点線で示すように、サーマルヘッド３が印刷位置３Ａに配置された場合の媒体９の搬送経路Ｃは、ガイド軸６２から左側に向けて延び、サーマルヘッド３の下端部に接触して方向を変え、ガイド軸６３に向けて左斜め上側に延びる。第一装着部２１及び第二装着部２２が回転することに応じ、媒体９は、ガイド軸６２とサーマルヘッド３との間を左右方向に移動する。
【００２３】
印刷位置３Ａと待機位置３Ｂとの間を移動するサーマルヘッド３は、図１中点線で示す、サーマルヘッド３が待機位置３Ｂに配置された時の媒体９の搬送経路Ｃと交差する。即ち、サーマルヘッド３が搬送経路Ｃに隣接するとは、印刷位置３Ａと待機位置３Ｂとの間を移動するサーマルヘッド３の移動経路と、搬送経路Ｃとが交わることを意味する。サーマルヘッド３は、第一ロール３１と第二ロール３２との間に張り渡される媒体９に隣接して配置される。第一ロール３１及び第二ロール３２を印刷装置１に着脱する場合、サーマルヘッド３は、待機位置３Ｂよりも上側の非図示の退避位置に移動される。
【００２４】
＜印刷装置１の電気的構成＞
図２を参照し、印刷装置１の電気的構成について説明する。印刷装置１は制御部７、記憶部７１、サーマルヘッド３、第一モータ８１、第二モータ８２、第三モータ８３、センサ５２、及び通信インターフェース（通信Ｉ／Ｆ）７２を備える。制御部７は、印刷装置１を制御するハードウェアプロセッサ（例えば、ＣＰＵ）と、ＣＰＵの指示に応じて動作する各種の駆動回路とを含む。各種の駆動回路は、例えば、第一モータ８１、第二モータ８２、第三モータ８３に信号（例えば、駆動電流）を供給するための回路、サーマルヘッド３に信号（例えば、駆動電流）を供給するための回路、及びセンサ５２を駆動すると共に受信した出力信号のＡ／Ｄ変換を行うための回路などを含む。制御部７は、記憶部７１、サーマルヘッド３、第一モータ８１、第二モータ８２、第三モータ８３、センサ５２、及び通信インターフェース（通信Ｉ／Ｆ）７２と電気的に接続する。
【００２５】
記憶部７１は、ＲＯＭ、ＲＡＭ、フラッシュメモリ等の各種記憶媒体を含む。記憶部７１には、制御部７が実行する処理のプログラムが記憶される。記憶部７１には、後述する印刷データ、印刷設定情報、媒体９の全長、媒体９の初期径、先回の第一ロール３１の径Ｒ０、及び先回の角加速度Ｖ等が記憶される。各設定値は、印刷装置１の操作部（非図示）を介して受け付けたユーザ入力によって設定されてもよい。センサ５２によって検出された回転速度と、第一モータ８１及び第二モータ８２の回転速度との比較から、未使用状態における第一ロール３１の直径、及び芯軸４２の直径が計算されてもよい。後述する印刷処理によって先回の第一ロール３１の径Ｒ０、先回の角加速度Ｖｂが更新される。
【００２６】
サーマルヘッド３の複数の発熱素子の各々は、制御部７から出力される信号に応じて選択的に発熱する。第一モータ８１は、制御部７から出力されるパルス信号に応じて、第一装着部２１を回転させる。第二モータ８２は、制御部７から出力されるパルス信号に応じて、第二装着部２２を回転させる。第三モータ８３は、制御部７から出力されるパルス信号に応じて回転し、サーマルヘッド３を、印刷位置３Ａ（図１参照）、待機位置３Ｂ（図１参照）、及び非図示の退避位置の間で移動させる。
【００２７】
センサ５２は、媒体９の状態に応じたセンサ信号を制御部７に出力する。センサ５２は例えば、第一装着部２１から繰り出され、第二装着部２２で巻き取られる媒体９の搬送経路Ｃで媒体９に接触して、媒体９の搬送量に応じたセンサ信号を制御部７に出力する回転センサ（例えば、ロータリーエンコーダ）である。センサ５２は、例えば、ガイド軸６５と一体に回転する永久磁石と、ベースプレート１１に設けられたホール素子などの磁気センサとで構成される、磁気式のロータリーエンコーダである。ガイド軸６５は、ガイド軸６５と媒体９との間に働く摩擦力によって、媒体９の搬送に追随して回転する。永久磁石の回転によって、磁気センサが検出する永久磁石からの磁力が変化する。検出された磁力変化に基づいて、ガイド軸６５の回転量が検知される。回転量を時間で割ることで、回転速度が特定される。ガイド軸６５の径は既知のため、ガイド軸６５の回転量又は回転速度から、媒体９の搬送量又は搬送速度が特定される。センサ５２から出力されるセンサ信号は、例えば、媒体９の搬送速度のフィードバック制御に利用可能である。通信Ｉ／Ｆ７２は、印刷装置１に接続される外部機器１００との間で通信を行なうためのインターフェース素子である。外部機器１００は、例えば、ユーザが印刷装置１に対して様々な指示を行うために使用される端末機器や、前記した印刷媒体搬送装置である。
【００２８】
制御部７によって実行されるプログラムは、例えば、外部機器１００から通信Ｉ／Ｆ７２を介してダウンロードされてもよい。制御部７は、通信Ｉ／Ｆ７２を介して外部機器１００から取得したプログラムを、記憶部７１に記憶してもよい。記憶部７１に記憶される各種情報は、外部機器１００を介して変更可能としてもよい。
【００２９】
印刷装置１（搬送装置２）の制御部７が実行する印刷処理の概要を説明する。印刷装置１が、印刷処理を行う場合、制御部７は、第一モータ８１を制御するための第一制御因子の初期値を特定する処理を行った後、特定された初期値を用いて、印刷搬送処理を行う。第一制御因子の初期値は、第一モータ８１に加わる負荷に応じた値とする。第一モータ８１に加わる負荷は、第一装着部２１に装着される第一ロール３１の重さ（例えば、慣性モーメント）に応じて変わる。第一ロール３１の重さは、第一ロール３１の幅（前後方向の長さ）と径とにより概算できる。第一モータ８１の第一制御因子の初期値を特定する処理として、搬送装置２の制御部７は、第一モータ８１を制御するための値である第一制御因子を用いて、第一モータ８１を駆動する。制御部７は、少なくとも第一モータ８１との間で送信又は受信する信号に基づいて、駆動される第一モータ８１が脱調したかを判断する。制御部７は、第一モータ８１が脱調したと判断されたことに応じて、第一制御因子の値を減少させる。制御部７は、第一モータが脱調していないと判断されたことに応じて、第一制御因子の値以下となる設定値を、記憶部７１に記憶する。
【００３０】
図３を参照して印刷処理を詳細に説明する。制御部７は、印刷開始の指示が取得された場合に、記憶部７１に記憶されたプログラムに従って、印刷処理を実行する。印刷開始の指示は、例えば、外部機器１００又は非図示の入力部を介して制御部７に入力される。図３に示すように、制御部７は、記憶部７１を参照して、先回の第一ロール３１の径Ｒ０を取得する（Ｓ１）。制御部７は、第一モータ８１の第一制御因子を第一モータ８１を駆動した場合に第一モータ８１が脱調しない第一値に設定する（Ｓ２）。本例の第一制御因子は角加速度Ｖである。第一値はＶｍである。第一値は、第一モータ８１を駆動した場合に第一モータが脱調する後述の第二値Ｓよりも小さい。トルクは角加速度と慣性モーメントとの積で表されるため、第一ロール３１の径を一定とした場合、Ｓ＞Ｖｍとなる。つまり制御部７は、Ｓ２で第一モータ８１の角加速度ＶにＶｍを設定する。制御部７は、Ｓ２で設定された第一モータ８１の角加速度Ｖに応じて、第一モータ８１と第二モータ８２との各々を駆動する（Ｓ３）。具体的には、制御部７は、Ｓ２で設定された第一モータ８１の角加速度Ｖで第一モータ８１を所定時間加速後、角加速度が−Ｖとなるように減速し、第一モータ８１を停止する。制御部７は、Ｓ２で設定された第一モータ８１の角加速度Ｖに合わせて、第二モータ８２の角加速度を設定し、第一モータ８１の駆動に同期して、第二モータ８２の加速及び減速を行う。
【００３１】
制御部７は、センサ５２からのセンサ信号を取得する（Ｓ４）。制御部７は、Ｓ４の処理で取得されたセンサ５２から出力されたセンサ信号に基づいて、第一ロール３１の径を特定する（Ｓ５）。制御部７は、センサ５２によって出力されたセンサ信号と、第一モータ８１の回転量との比較によって第一ロール３１の径を特定する。具体的には第一モータ８１はステップモータであるので、第一モータ８１の回転量は、制御部７から第一モータ８１に対して送信されたパルス数に相当する。制御部７は、第一モータ８１に送信したパルス数を計数し、計数した値を記憶部７１に保存する。制御部７は、このカウント値を記憶部７１から取得することで、第一モータ８１の回転量を特定できる。制御部７は、取得した第一モータ８１の回転量で、センサ信号から特定される媒体９の搬送量を除算することで、第一ロール３１の径を特定する。制御部７はＳ５の処理で設定された径Ｒが、Ｓ１の処理で取得された径Ｒ０と同じであるかを判断する（Ｓ６）。径Ｒが径Ｒ０と同じではない場合（Ｓ６：ＮＯ）、制御部７はＳ第一制御因子の設定値を、第一モータ８１を駆動した場合に第一モータが脱調する値であって、Ｓ２で設定された第一値よりも大きな第二値に設定する（Ｓ７）。Ｓ７の処理は、第一ロール３１の径が特定された後で実行される。制御部７は角加速度Ｖに前述の第二値Ｓを設定する。値Ｓは、値Ｓに応じて第一モータ８１を駆動した場合、第一モータ８１が脱調すると想定される値である。値Ｓとしては、例えば、第一モータ８１の仕様上許容される、最大の角加速度が用いられてよい。制御部７は、第一ロール３１の角加速度Ｖと、第一ロール３１の径に応じて、第二モータ８２を制御するための第二制御因子を設定する（Ｓ８）。本例の第二制御因子は角加速度ｖである。第一ロール３１の角加速度Ｖと、第一ロール３１の径とに応じた第二制御因子の値は、例えば、記憶部７１に予め記憶されており、制御部７は記憶部７１を参照して、角加速度ｖに、第一ロール３１の角加速度Ｖと、第一ロール３１の径とに応じた値を設定する。繰り返し実行されるＳ８において、制御部７は第一モータ８１を制御する期間、Ｓ５で特定された第一ロール３１の径に応じて、第二モータ８２を制御するための第二制御因子を設定する。制御部７は、Ｓ７で設定された第一制御因子である角加速度Ｖで第一モータ８１を駆動し、Ｓ８で設定された第二制御因子である角加速度ｖで第二モータ８２を駆動する（Ｓ９）。
【００３２】
制御部７は、第一モータ８１に脱調が生じているかを判断する（Ｓ１１）。制御部７は、センサ５２が出力するセンサ信号が、第一モータ８１の回転量と第一ロール３１の径とで決まる搬送量に対応している場合は脱調していないと判断し（Ｓ１１：ＮＯ）、対応していない場合は脱調したと判断して（Ｓ１１：ＹＥＳ）、第一モータ８１の脱調を検知する。脱調が生じた場合（Ｓ１１：ＹＥＳ）、制御部７は、第一制御因子の値を減少させる（Ｓ１２）。具体的には制御部７は第一制御因子を、第一モータ８１のトルクが一単位小さくなる値に設定する（Ｓ１２）。一単位は適宜設定されればよい。本例の制御部７は角加速度Ｖを１だけデクリメントし、処理をＳ８に戻す。脱調が生じていない場合（Ｓ１１：ＮＯ）、制御部７は第一モータが脱調していないと判断されたことに応じて、第一制御因子の値以下となる設定値を、記憶部７１に記憶する（Ｓ１３）。本例の制御部７は、第一モータ８１が脱調していないと判断されたときの第一制御因子の値を、設定値として記憶部７１に記憶する。この値は、Ｓ１１の処理で第一モータ８１が脱調すると検知されなかった第一制御因子の内、第一モータ８１のトルクが最も大きくなる値である。記憶部７１に記憶する第一制御因子は、第一モータ８１が脱調していないと判断された時の第一制御因子の値以下であればよく、例えば、現在の値から所定単位（例えば一単位）小さい値であってもよい。Ｓ１３における所定条件は適宜変更されてよい。制御部７は、第一モータ８１及び第二モータ８２を反転方向に回転し、Ｓ３とＳ９とにおける搬送量だけ媒体９を巻き戻す（Ｓ１４）。制御部７はＳ３とＳ９とにおける搬送量を、例えば、センサ５２の監視結果に基づき特定する。
【００３３】
制御部７は印刷搬送処理を行う（Ｓ１５）。印刷搬送処理は、別途非図示の印刷媒体搬送装置によって実行される印刷媒体の搬送処理と同期して実行され、所定のタイミングで媒体９の搬送とサーマルヘッド３による印刷が実行される。所定のタイミングは、例えば、外部機器１００から出力される信号に応じて決定される。所定のタイミングで制御部７は、Ｓ１３で特定された角加速度Ｖ及びｖで第一モータ８１及び第二モータ８２を制御して、媒体９の搬送速度が目標速度になるまで加速する。目標速度として、例えば、非図示の外部エンコーダで特定した印刷媒体Ｐの搬送速度Ｖｐと同一速度、又は搬送速度Ｖｐよりも僅かに小さい速度が設定される。媒体９が目標速度に達したら、制御部７は、媒体９を、所定の距離を定速で搬送する。制御部７は、媒体９の搬送と同期して、サーマルヘッド３を待機位置３Ｂから印刷位置３Ａに移動する。
【００３４】
プラテンローラＱは、印刷媒体Ｐのうち印刷面と反対側の面に接触し、媒体９及び印刷媒体Ｐをサーマルヘッド３に押しつける。制御部７は印刷データに従ってサーマルヘッド３を加熱して、印刷媒体Ｐに印刷する。印刷終了後、制御部７は、サーマルヘッド３の加熱を停止し、サーマルヘッド３を印刷位置３Ａから待機位置３Ｂに移動する。制御部７は、第一モータ８１及び第二モータ８２を制御して、媒体９の角加速度−Ｖ及び−ｖで減速搬送を行う。制御部７は、次のタイミングまで待機する。印刷搬送処理が実行されている期間において、第一モータ８１の第一制御因子及び第二モータ８２の第二制御因子は、第一ロール３１の媒体９量（重さ）の増減に応じて、適宜変更される。
【００３５】
印刷搬送処理が終了される場合、制御部７は、Ｓ５で特定された第一ロール３１の径から、今回の処理による媒体９の搬送量を差し引いた値を、先回の第一ロール３１の径Ｒ０に設定して、径Ｒ０を更新する。制御部７は、第一ロール３１の先回の角加速度Ｖに現在の値を設定して、先回の角加速度Ｖｂを更新する（Ｓ１６）。以上で印刷処理を終了する。Ｓ６の処理で、ＲがＲ０である場合（Ｓ６：ＹＥＳ）、制御部７は、先回の第一モータ８１の角加速度Ｖｂ取得し（Ｓ１７）、角加速度ＶにＶｂを設定して、記憶する（Ｓ１３）。制御部７は、前述のＳ１４からＳ１６の処理を行う。
【００３６】
上記印刷装置１において、搬送装置２、第一装着部２１、第二装着部２２、第一モータ８１、第二モータ８２、及び制御部７は各々、本発明のロール状媒体搬送装置、第一装着部、第二装着部、第一モータ、第二モータ及び制御部の一例である。Ｓ１１の処理を実行する制御部７は、本発明の判断手段の一例である。Ｓ５の処理を実行する制御部７は、本発明の径特定手段の一例である。Ｓ９の処理を実行する制御部７は、本発明の第一制御手段（制御手段）の一例である。Ｓ１２の処理を実行する制御部７は、本発明の減少手段の一例である。Ｓ１３の処理を実行する制御部７は、本発明の記憶手段の一例である。センサ５２は、本発明のセンサの一例である。Ｓ９の処理を実行する制御部７は、本発明の第二制御手段の一例である。Ｓ１４の処理を実行する制御部７は、本発明の巻き戻し手段の一例である。
【００３７】
搬送装置２を備える印刷装置１は、媒体９の搬送速度のフィードバック制御を行う際に利用されるセンサ５２を利用して媒体９による負荷に応じた第一ロール３１の第一制御因子を記憶できる。このため、印刷装置１は、ロール状に媒体９が巻回された第一ロール３１による第一モータ８１に加わる負荷に応じて、ロール状媒体９を搬送するための第一モータ８１の駆動量を記憶可能である。
【００３８】
搬送装置２は、媒体９の状態に応じたセンサ信号を出力するセンサ５２を更に備え、制御部７は、センサ５２から出力されたセンサ信号に基づいて、第一ロール３１の径を特定する。この場合の制御部７は、センサ信号に基づいて、第一ロール３１の径を特定できる。
【００３９】
制御部７は、Ｓ５で特定された第一ロール３１の径に応じて、第二モータ８２を制御するための第二制御因子を設定して、第二モータ８２を駆動する（Ｓ８、Ｓ９）。印刷装置１は、第二モータ８２が適切に駆動されないことに起因して、媒体９が搬送経路Ｃで絡まることを抑制できる。
【００４０】
第一モータ８１はステップモータである。第一制御因子は、角加速度である。センサ５２は、第一装着部２１から繰り出され、第二装着部２２で巻き取られる媒体９の搬送経路Ｃで媒体９に接触して、媒体９の搬送量に応じたセンサ信号を制御部７に出力する。制御部７は、センサ５２によって出力されたセンサ信号と、第一モータ８１の回転量の比較によって第一ロール３１の径を特定する（Ｓ５）。搬送装置２は、第一ロール３１の径をセンサ信号に基づき的確に特定できる。
【００４１】
制御部７は、Ｓ１１の処理で、センサ５２が出力するセンサ信号が、第一モータ８１の回転量と第一ロール３１の径とで決まる搬送量に対応している場合は脱調していないと判断し、対応していない場合は脱調したと判断して、第一モータ８１の脱調を判断する。故に、搬送装置２は、センサ信号を用いて脱調しているかを判断できる。搬送装置２は、第一モータ８１が脱調しているかを判断するためのセンサと、第一ロール３１の径を特定するためのセンサとを別に設ける必要がない。
【００４２】
制御部７は、Ｓ２で第一制御因子に第一値を設定して、第一モータ８１を回転させる（Ｓ２、Ｓ３）。制御部７は、第一ロール３１の径が特定された後で、第一制御因子に第一モータ８１を駆動した場合に第一モータ８１が脱調する値であって、第一値よりも大きな第二値を設定して、第一モータ８１を駆動する（Ｓ７、Ｓ９）。制御部７は、Ｓ９で第一モータ８１を制御する期間、特定された第一ロール３１の径に応じて、第二モータ８２を制御するための第二制御因子を設定して、第二モータ８２を駆動する（Ｓ８、Ｓ９）。搬送装置２は、第二モータ８２を第一ロール３１の径に応じて適切に駆動させた状態で、第一制御因子を特定できる。搬送装置２は、第一制御因子を特定するまでの期間に、第二モータ８２が適切に駆動されないことに起因して、媒体９が搬送経路Ｃで絡まることを抑制できる。
【００４３】
制御部７は、Ｓ７では、第一モータ８１を駆動した場合、第一モータ８１が脱調すると想定される値Ｓを第一制御因子に設定する。制御部７は、第一モータ８１が脱調すると検知されなかった第一制御因子の内、第一モータ８１のトルクが最も大きくなる値を、第一制御因子の初期値として特定する（Ｓ１３）。制御部７は、第一モータ８１及び第二モータ８２を駆動して、Ｓ３とＳ６とで、第一モータ８１を駆動した量に応じて、媒体９を巻き戻す（Ｓ１４）。搬送装置２は、第一モータ８１が脱調した場合、媒体９が第一ロール３１から繰り出されないため、第一制御因子が特定されるまでの期間に、第一ロール３１から繰り出される媒体の量が最も短くてすむ。搬送装置２は、Ｓ１４の処理で、第一モータ及び前記第二モータを駆動して、Ｓ３とＳ９で第一ロール３１から繰り出された未使用の媒体９を巻き戻す場合の処理時間を最小限にできる。
【００４４】
本発明のロール状媒体搬送装置は、上記した実施形態に限定されるものではなく、本発明の要旨を逸脱しない範囲内において種々変更が加えられてもよい。例えば、以下の変形が適宜加えられてもよい。
【００４５】
ロール状媒体搬送装置は印刷装置に設けられる必要はない。ロール状媒体搬送装置が搬送する媒体は、インクリボン以外でもよく、例えば、ロール状に巻回された紙等の印刷媒体であってもよい。印刷装置がロール状媒体搬送装置を含む場合、ロール状媒体搬送装置の制御部と、印刷装置が備えるサーマルヘッド等のロール状媒体搬送装置以外の構成要素を制御する制御部とは同じであってもよいし、互いに異なってもよい。印刷装置は、印刷媒体搬送装置に含まれてもよい。第一装着部と、第二装着部とが装着可能な第一ロールの軸芯の形状と第二ロールの軸芯の形状とは、四角柱等適宜変更されてよい。ロール状媒体搬送装置における媒体の搬送経路は適宜変更されてよい。センサ５２は、媒体９の状態に応じたセンサ信号を制御部に出力可能であればよく、媒体９の幅を特定可能なセンサ等他のセンサでもよい。
【００４６】
制御部７は、ＣＰＵの代わりに、マイクロコンピュータ、ＡＳＩＣ  （Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＦＰＧＡ  （Ｆｉｅｌｄ  Ｐｒｏｇｒａｍｍａｂｌｅ  Ｇａｔｅ  Ａｒｒａｙ）などを備えてもよい。印刷処理は、複数のプロセッサによって分散処理されてもよい。記憶部７１は非一時的な記憶媒体であればよく、情報を記憶する期間に関わらず、情報を留めておくことが可能な記憶媒体であればよい。非一時的な記憶媒体は、一時的な記憶媒体（例えば、伝送される信号）を含まなくてもよい。印刷処理を実行するためのプログラムは、例えば、非図示のネットワークに接続されたサーバからダウンロードされて（即ち、伝送信号として送信され）、記憶部７１に記憶されてもよい。この場合、該プログラムは、サーバに備えられた記憶部などの非一時的な記憶媒体に保存されていればよい。上記実施形態の印刷処理の各ステップは、必要に応じて順序の変更、ステップの省略、及び追加が可能である。印刷装置１（搬送装置２）の制御部７からの指令に基づき、印刷装置１（搬送装置２）で稼動しているオペレーティングシステム（ＯＳ）等が実際の処理の一部又は全部を行い、その処理によって上記実施形態の機能が実現される場合も本開示の範囲に含まれる。
【００４７】
第一モータ８１が脱調しているかを判断する処理はロール状媒体搬送装置の構成に応じて適宜変更されてよい。第一モータ８１にエンコーダが内蔵されている場合、制御部７は第一モータ８１が脱調を検出しているかを第一モータ８１のエンコーダ値と送信パルス数とが対応しているかで判断してもよい。制御部７に含まれるモータドライバが脱調検知機能を有している場合、制御部７はモータドライバからの信号に基づき第一モータ８１が脱調を検出しているかを判断してもよい。特定の径の媒体のみを装着可能である又は媒体の径をユーザが入力する場合等、必要に応じて、センサ５２及びセンサ５２から出力されたセンサ信号に基づいて、第一ロール３１の径を特定する処理を省略してもよい。センサ５２の種類は適宜変更されてよい。第一ロール３１の径を特定する処理に用いるセンサは、第一モータ８１の脱調を検出する処理に用いるセンサと別であってもよい。制御部７は、第一ロール３１の幅を特定するための専用のセンサを備える場合、Ｓ２からＳ５の処理を省略してよい。
【００４８】
特定された第一ロール３１の径に応じて、第二モータ８２を制御するための第二制御因子を設定する処理は適宜変更されてよい。この場合、制御部７は、例えば、第二モータ８２を第一ロール３１の径によらず、所定値を第二制御因子に設定してもよい。Ｓ８において、第一ロール３１の径と、第二ロール３２の径と、第一ロール３１の角加速度Ｖとに基づいて、角加速度ｖが決定されてもよい。具体的には、第一ロール３１の角加速度Ｖに、第一ロール３１の径に対する第二ロール３２の径の比を乗算することで、角加速度ｖが決定されてもよい。この場合、Ｓ５の処理において、センサ信号から特定される媒体９の搬送量と、第二モータ８２の回転量との比較によって、第二ロール３２の径が特定される。
【００４９】
第一モータ、及び第二モータはステップモータ以外のモータであってもよい。第一制御因子及び第二制御因子は、互いに同じパラメータであってもよいし、互いに異なってもよい。第一制御因子及び第二制御因子はモータを制御するための各種パラメータから選定されればよく、モータに印加される電流量等の角加速度以外のパラメータであってもよい。
【００５０】
Ｓ２及びＳ７で設定される第一制御因子の値は適宜変更されてよい。第一ロールの径を特定する処理を実行する前に、第一ロールの第一制御因子の初期値を特定する処理が実行されてもよい。Ｓ７において第一制御因子は、第一モータを駆動した場合に第一モータが脱調する値に設定されなくてもよい。Ｓ１２において、第一制御因子を更新する処理は、第一制御因子の種類、処理に要する時間、及び初期値の設定精度等を考慮して適宜変更されてよく、Ｓ１２で増減される値の大きさは、適宜変更されてよい。Ｓ１３で設定される第一制御因子の初期値は、第一制御因子の設定値を、第一モータのトルクが現在の値よりも小さくなる値の内の最大値に応じた値であればよい。第一制御因子の初期値を特定する場合の所定条件は適宜変更されてよく、例えば、第一モータのトルクが現在の値よりも小さくなる値の内の最大値となる値よりも、所定単位（例えば、一単位）小さな値又は大きい値であってもよい。
【００５１】
本発明は、印刷時に媒体９及び印刷媒体Ｐの搬送が停止され、サーマルヘッド３を媒体９に沿って移動させることで印刷するタイプの印刷装置のロール状媒体搬送装置として用いられてもよい。この場合、Ｓ１４の処理において、制御部７は、サーマルヘッド３による印刷終了後、サーマルヘッド３を媒体９から離間させて、記憶部７１に記憶された角加速度Ｖ及びｖで第一モータ８１及び第二モータ８２を制御し、媒体９を搬送すればよい。
【００５２】
Ｓ７では、第一制御因子として、第一モータ８１を駆動した場合に第一モータ８１が脱調する値であって、第一値よりも大きな第二値を設定していたが、第一モータ８１を駆動した場合に第一モータ８１が脱調しない値（例えば、第一値）が設定されてもよい。この場合、制御部７は、Ｓ１１の処理で脱調しない場合に（Ｓ１１：ＮＯ）、第一制御因子（例えば、第一モータ８１の角加速度）を１単位増加させ（増加手段の一例）、処理をＳ９の処理に戻してもよい。制御部７は、Ｓ１１の処理で脱調する場合に（Ｓ１１：ＹＥＳ）、第一制御因子の値よりも小さな設定値を、記憶部７１に記憶してもよい（記憶手段の一例）。このようにした場合にも、搬送装置２は、ロール状に媒体９が巻回された第一ロール３１による第一モータ８１に加わる負荷に応じて、ロール状媒体９を搬送するための第一モータ８１の駆動量を記憶可能である。
【符号の説明】
【００５３】
１：印刷装置１、２：搬送装置、７：制御部、２１：第一装着部、２２：第二装着部、５２：センサ、７１：記憶部、８１：第一モータ、８２：第二モータ
【図１】
2018165187.tif 000003
【図２】
2018165187.tif 000004
【図３】
2018165187.tif 000005